(57)【要約】      （修正有）【課題】導電端子同士のインピーダンスマッチングに有利になり、使用寿命が延長できる電気コネクタを提供する。【解決手段】主体部、及び主体部に保持される複数の舌片を備える絶縁本体と、絶縁本体に保持され、第一端子組２２、及び第二端子組２３を含む複数の導電端子とを含み、第一端子組２２と前記第一端子組２２の下方に位置する第二端子組２３とは、複数の第一端子をそれぞれ有し、各第一端子は、前記主体部に固持される第一固持部と、第一固持部の一端から前記舌片まで延出して露出する第一接触部と、第一固持部の他端から折曲がって延出する第一連接部と、第一連接部の一端から延出する第一半田部とを含み、第一端子組２２の各第一端子の長さは、第二端子組２３の各第一端子の長さより長くて、第一端子組２２の各第一端子の厚さは、第二端子組２３の各第一端子の厚さより厚い。【選択図】図９
0003176488.tif 000002
【実用新案登録請求の範囲】
【請求項１】
主体部と、前記主体部に保持される複数の舌片とを備える絶縁本体と、
前記絶縁本体に保持され、第一端子組と第二端子組とを含む複数の導電端子と
を含み、
前記第一端子組と前記第一端子組の下方に位置する第二端子組とは、複数の第一端子をそれぞれ有し、
前記各第一端子は、前記主体部に固持される第一固持部と、前記第一固持部の一端から前記舌片まで延出して露出する第一接触部と、前記第一固持部の他端から折曲がって延出する第一連接部と、前記第一連接部の一端から延出する第一半田部とを含み、
前記第一端子組の各第一端子の長さは、前記第二端子組の各第一端子の長さより長く、前記第一端子組の各第一端子の厚さは、前記第二端子組の各第一端子の厚さより厚いことを特徴とする電気コネクタ。
【請求項２】
前記導電端子は、前記第二端子組の下方での第三端子組を含み、該第三端子組は、複数の第一端子を含み、
前記第二端子組の各第一端子の長さは、前記第三端子組の各第一端子の長さより長く、前記第二端子組の各第一端子と前記第三端子組の各第一端子との厚さは同じであることを特徴とする請求項１に記載の電気コネクタ。
【請求項３】
前記第一端子組と、前記第二端子組と、前記第三端子組とは、複数の第二端子をそれぞれ有し、
前記各第二端子は、前記主体部に保持される第二固持部と、前記第二固持部の一端から前記舌片まで延出して露出する第二接触部と、前記第二固持部の他端から折曲がって延出する第二連接部と、前記第二連接部の一端から延出する第二半田部とを含み、
前記第一接触部と前記第二接触部とは、前記舌片の同じ一側に二列で配置され、相手コネクタにおいて、前記第二接触部は前記第一接触部より奥側に配置され、前記第一接触部は弾性状で前記舌片から突出し、前記第二接触部は平板状で前記舌片に露出することを特徴とする請求項２に記載の電気コネクタ。
【請求項４】
前記第一端子と前記第二端子との材料が異なり、前記第一端子の強さは前記第二端子の強さより優れることを特徴とする請求項３に記載の電気コネクタ。
【請求項５】
前記第一端子はりん銅から製作され、前記第二端子は黄銅から製作されることを特徴とする請求項４に記載の電気コネクタ。
【請求項６】
前記第一端子組、前記第二端子組及び前記第三端子組それぞれは、前記各第二端子の厚さが同じであることを特徴とする請求項３乃至５の何れかの一つに記載の電気コネクタ。
【請求項７】
前記第一端子組の各第二端子の厚さは、前記第二端子組及び前記第三端子組それぞれの第二端子の厚さより厚いことを特徴とする請求項３乃至６の何れかの一つに記載の電気コネクタ。
【請求項８】
前記第二端子組と前記第三端子組とにおいて、前記第一端子と前記第二端子との厚さが同じであることを特徴とする請求項３乃至７の何れかの一つに記載の電気コネクタ。
【請求項９】
前記第二端子は、両側での二対の差動信号端子と、二対の差動信号端子の間での一本の接地端子とを含み、
前記第一端子組と前記第二端子組と前記第三端子組とにおいて、前記第二端子の接地端子の第二固持部と第二連接部との幅は、二対の差動信号端子の第二固持部と第二連接部との幅より広いことを特徴とする請求項３乃至８の何れかの一つに記載の電気コネクタ。
【請求項１０】
前記第二端子の接地端子の第二固持部に複数の孔が形成されることを特徴とする請求項９に記載の電気コネクタ。
【考案の詳細な説明】
【技術分野】
【０００１】
本考案は、電気コネクタに関し、特に、コンタクトの構造が改善されている電気コネクタに関するものである。
【背景技術】
【０００２】
従来技術の電気コネクタは、特許文献１に示すように、絶縁本体と、該絶縁本体に保持される複数のコンタクトと、を含み、各導電端子は、絶縁本体に保持される保持部と、保持部の一端から延出して嵌合口に露出される接触部と、保持部の他端から折曲がって延出する連接部と、連接部に連接して回路基板に接続する半田部とを含む。絶縁本体に、四つの嵌合口が積み重なるように配置される。前記導電端子は、接触部が第一嵌合口に露出する第一端子組と、接触部が第二嵌合口に露出する第二端子組と、接触部が第三嵌合口に露出する第三端子組と、接触部が第四嵌合口に露出する第四端子組とを含む。前記四つの嵌合口を上下方向に積み重ねるために、前記第一端子組と第二端子組と第三端子組と第四端子組との全体長さは順に小さくなる。その各嵌合口における端子はＵＳＢ（Ｕｎｉｖｅｒｓａｌ  Ｓｅｒｉａｌ  Ｂｕｓ）３．０規格に符合して、各端子組は、接触部の平板状を呈する第一端子と、接触部が突出する弾性状を呈する第二端子とを含む。
【先行技術文献】
【特許文献】
【０００３】
【特許文献１】中国実用新案公告第ＣＮ２０１７４１８８７号明細書
【考案の概要】
【考案が解決しようとする課題】
【０００４】
しかしながら、前記第一端子組と第二端子組と第三端子組と第四端子組との長さが異なるとともに、各導電端子の厚さが同じであるので、導電端子同士のインピーダンスが異なり、このことは信号のシンクロ伝送に不利になる。また、前記第一端子の接触部は平板状を呈し、第二端子の接触部は突出する弾性状を呈するので、相手コネクタを挿入する過程において、第二端子の接触部の弾性的な変形を生じさせることが必要なので、第二端子の接触部の寿命が第一端子の接触部より短くなり、電気コネクタの使用寿命に影響する虞があった。
【０００５】
本考案は、導電端子同士のインピーダンスマッチングに有利になり、使用寿命が延長できる電気コネクタを提供することを目的とする。
【課題を解決するための手段】
【０００６】
本考案の電気コネクタは、主体部、及び前記主体部に保持される複数の舌片を備える絶縁本体と、前記絶縁本体に保持され、第一端子組及び第二端子組を含む複数の導電端子とを含み、前記第一端子組と前記第一端子組の下方に位置する第二端子組とは、複数の第一端子をそれぞれ有し、前記各第一端子は、前記主体部に固持される第一固持部と、前記第一固持部の一端から前記舌片まで延出して露出する第一接触部と、前記第一固持部の他端から折曲がって延出する第一連接部と、前記第一連接部の一端から延出する第一半田部とを含み、前記第一端子組の各第一端子の長さは、前記第二端子組の各第一端子の長さより長く、前記第一端子組の各第一端子の厚さは、第二端子組の各第一端子の厚さより厚いことを特徴とする。
【考案の効果】
【０００７】
従来技術に比べ、本考案の電気コネクタは以下の利点を有し、前記第一端子組の各第一端子の厚さは、第二端子組の各第一端子の厚さより厚いので、導電端子同士のインピーダンスマッチングに有利になる。
【図面の簡単な説明】
【０００８】
【図１】本考案に係る電気コネクタの組立斜視図である。
【図２】本考案に係る電気コネクタの部分の分解斜視図である。
【図３】本考案に係る電気コネクタのベースと導電端子との組立斜視図である。
【図４】本考案に係る電気コネクタのベースと導電端子との分解斜視図である。
【図５】図４に示す電気コネクタのベースと導電端子のほかの角度から見た分解斜視図である。
【図６】本考案に係る電気コネクタの第一ベースと第二ベースとの斜視図である。
【図７】本考案に係る電気コネクタの分解斜視図である。
【図８】図７に示す電気コネクタのほかの角度から見た分解斜視図である。
【図９】本考案に係る電気コネクタの導電端子の側面図である。
【考案を実施するための形態】
【０００９】
以下、図１〜図９を参照しながら、本考案の電気コネクタ１００の実施形態について説明する。電気コネクタ１００は、絶縁本体１と、絶縁本体１に保持される複数の導電端子２と、絶縁本体１の後端に保持されるベース３と、絶縁本体１を覆う金属板から製作されるシェル４とを含む。図１に示すように、上下方向に沿って、絶縁本体１には、相手コネクタが挿入される四つの嵌合口５が積み重なるように配置される。
【００１０】
図７乃至図９を参照すると、絶縁本体１は、主体部１１と、主体部１１に保持される四つの舌片１２とを含み、主体部１１は、基部１３と、基部１３から前向きに延出して互いに平行に配置される隔離板１４とを含む。基部１３には、先端面において前記舌片１２を保持するための保持溝１３１と、保持溝１３１の下方において基部１３を貫通する第一端子溝１３７と、保持溝１３１の後端において基部１３を貫通する第二端子溝１３２とが設けられる。前記基部１３の後端に、ベース３を収容するための受入空間１３３が形成され、基部１３の後端に、受入空間１３３に突出する保持凸部１３８が設けられる。基部１３の両外側壁に、シェル４にそれぞれ係合するための凹部１３４と凸部１３５とがそれぞれ設けられる。
【００１１】
各舌片１２は、前記保持溝１３１に保持される保持位置１２１と前記嵌合口５まで延出する嵌合部１２２とを含み、保持位置１２１に、保持アーム１２１２が後端へ向かって延出するように形成され、保持アーム１２１２が前記保持溝１３１に係合することにより舌片１２が基部１３に保持される。前記嵌合部１２２に、底壁での第一収容溝１２２２と、第一収容溝１２２２の先端での第二収容溝１２２１が設けられ、前記第二収容溝１２２１が舌片１２の先端面を貫通するように配置され、相手コネクタの挿入方向において、前記第一収容溝１２２２と第二収容溝１２２１とは離間するように配置される。
【００１２】
前記複数の導電端子２は、第一端子組２２と、第二端子組２３と、第三端子組２４と、第四端子組２１とを含み、各端子組は、第一端子２６と、第一端子２６の上方での第二端子２５とを含む。その第一端子２６の構造強さは第二端子２５の構造強さより強いので、第一端子２６の使用寿命が長くなる。本実施状態において、第一端子２６はりん銅から製作され、第二端子２５から黄銅で製作される。
【００１３】
第一端子２６は、第一端子溝１３７に保持される第一固持部２６１と、第一固持部２６１の一端から延出して前記第一収容溝１２２２において露出する第一接触部２６２と、第一固持部２６１の他端から折曲がっている第一連接部２６３と、第一連接部２６３から下向きに延出する第一半田部２６４とを含む。前記第二端子２５は、舌片１２にインサート成型され、前記舌片１２にインサート成型される第二固持部２５１と、第二固持部２５１の一端から延出して前記第二収容溝１２２１において露出する第二接触部２５２と、第二固持部２５１の他端から折曲がる第二連接部２５３と、第二連接部２５３から下向きに延出する第二半田部２５４とを含む。
【００１４】
前記第一端子組２２と第四端子組２１とは、第一固持部２６１と第一連接部２６３との間に第一屈曲部が設けられ、該第一屈曲部により導電端子同士のクロストーク（Ｃｒｏｓｓｔａｌｋ）を減少させることができる。相手コネクタの挿入方向において、前記第一接触部２６２と第二接触部２５２とは、二列に配置されるとともに、前記第一接触部２６２が奥側に隣接している。第一接触部２６２は弾性状であり、第一収容溝１２２２に収容されて舌片１２の表面から突出するように配置され、前記第二接触部２５２は平板状であり、第二収容溝１２２１に収容され、前記第一接触部２６２と第二接触部２５２とは嵌合口５に露出する。相手コネクタの挿入方向において、各端子組の第一連接部２６３と第二連接部２５３とは二列に配置される。
【００１５】
図９を参照すると、第四端子組２１と、第一端子組２２と、第二端子組２３と、第三端子組２４との長さは、順に小さくなる。第四端子組２１と第一端子組２２との第一端子２６の厚さはＤ１であり、第四端子組２１と第一端子組２２との第二端子２５の厚さはＤ３である。第二端子組２３と第三端子組２４との第一端子２６の厚さはＤ２であり、第二端子組２３と第三端子組２４との第二端子２５の厚さはＤ４である。その中において、前記Ｄ１、Ｄ２、Ｄ３、Ｄ４には、「Ｄ１＞Ｄ２」、及び「Ｄ２＝Ｄ３＝Ｄ４」なる関係があり、このことは、前記各端子組の第一端子２６同士のインピーダンスマッチングに有利になる。また、他の実施状態において、前記Ｄ３とＤ４とには、「Ｄ３＞Ｄ４」なる関係があり、このことは、各端子組の第二端子２５同士のインピーダンスマッチングに有利になる。
【００１６】
前記各端子組の第二端子２５は、両側における二対の差動信号端子と、二対の差動信号端子の間における一本の接地端子とを含み、各端子組の接地端子の第二固持部２５１と第二連接部２５３との幅は、二対の差動信号端子の第二固持部２５１と第二連接部２５３との幅より広い。前記第一端子組２２と第四端子組２１との第二端子２５における第二端子２５の接地端子の、第二固持部２５１及び第二連接部２５３の幅は、第二端子組２３と第三端子組２４とにおける第二端子２５の接地端子の、第二固持部２５１及び第二連接部２５３との幅より広い。また、第二端子組２３と第三端子組２４とにおいて、第二端子２５の接地端子の第二固持部２５１に複数の孔が形成され、このことは、接地端子同士のインピーダンスマッチングに有利になる。
【００１７】
図３乃至図８を参照すると、前記ベース３は、絶縁本体１の後端に保持され、上下方向に沿って互いに係合される第一ベース３１と、第二ベース３２と、第一ベース３１及び第二ベース３２の間に挟まれる第三ベース３３とを含む。前記第一ベース３１には、前記第四端子組２１の第一連接部２６３及び第二連接部２５３と、第一端子組２２の第二端子２５の第二連接部２５３の上部とを収容するための第一貫通孔３１１が、貫通するように設けられる。第一貫通孔３１１に対応するように第二ベース３２に配置され、前記第四端子組２１の第一連接部２６３及び第二連接部２５３と、第一端子組２２の第二端子２５の第二連接部２５３の下部とを収容する第二貫通孔３２１が、貫通するように形成される。前記第一ベース３１の底部には固持孔３１２が形成され、第二ベース３２の頂部には固持孔３１２に係合する保持ポスト３２２が形成され、前記保持ポスト３２２が固持孔３１２に係合することにより前記第一ベース３１と第二ベース３２とは互いに固持される。第二ベース３２には、両側での前記シェル４に係合するための係止部３２５と、先端の側縁での一対の凸部３２６とが形成される。
【００１８】
第三ベース３３は、上下方向に貫通する第三貫通孔３３１と、後端面において凹んで形成される受入溝３３２とを含み、前記第二端子組２３の第一連接部２６３及び第二連接部２５３と、第三端子組２４の第二連接部２５３とは、前記第三貫通孔３３１に収容され、前記第一端子組２２の第一端子２６の第一連接部２６３は受入溝３３２に収容される。第二ベース３２の先端面に、複数の第一凸状リブ３２３が突出するように形成され、第一凸状リブ３２３が前記受入溝３３２に突出して、受入溝３３２に収容された第一端子組２２の第一連接部２６３に当接することによって、第一端子組２２の第一連接部２６３の揺れ動きを防止できる。
【００１９】
第三端子組２４の第一連接部２６３は、絶縁本体１の基部１３の後端における溝１３６に保持される。前記第三ベース３３の先端面に、第二凸状リブ３３３が突出するように形成され、該第二凸状リブ３３３が前記溝１３６に突出して前記第三端子組２４の第一連接部２６３に当接することにより、第三端子組２４の第一連接部２６３の揺れ動きを防止できる。第三ベース３３の両側縁に一対の突出部３３４が形成され、該突出部３３４が第二ベース３２の一対の凸部３２６の間に挟んで係合されることにより、前記第三ベース３３が第二ベース３２の一対の凸部３２６の間に保持される。前記第一ベース３１及び第三ベース３３に、絶縁本体１の受入空間１３３の両側に係合するための凸部３１３がそれぞれ形成される。
【００２０】
前記シェル４は、相手コネクタの挿入方向において互いに係合する第一シェル４１及び第二シェル４２と、前記各隔離板１４を覆う内シェル４３とを含む。前記第一シェル４１は絶縁本体１の外周を覆い、その側板及び頂板には、嵌合口５にそれぞれ突出する複数の弾性片が形成される。第一シェル４１の側板には、絶縁本体１の凹部１３４及び凸部１３５と、第二ベース３２の係止部３２５とに係合するための、対応する構造がそれぞれ形成される。前記第二シェル４２は、絶縁本体１とベース３とを覆う本体部４２１と、本体部４２１の頂縁から延出して第一シェル４１の頂板に結合される頂部４２２と、本体部４２１の両側縁から延出して第一シェル４１の側板に結合される側部４２３とを含む。
【００２１】
内シェル４３は、隔離板１４の先端を覆う先端板４３１と、先端板４３１の上下縁から延出する、隔離板１４の上下表面を覆う延在板４３２と、先端板４３１の両側縁から相手コネクタの挿入方向に沿って延出する弾性片４３３とを含み、先端板４３１に電子設備に接続するための接地片４３１１が突出するように形成される。各延在板４３２には、前記嵌合口５に突出する押圧片４３２１がそれぞれ設けられる。
【００２２】
本考案においては、電気コネクタ１００が、四つの嵌合口５が積み重なるように配置されるが、勿論、他の実施状態において、二つ以上の嵌合口５が積み重ねるように配置されてもいい。
【００２３】
以上、本考案について最良の実施の形態を参照して詳細に説明したが、実施形態はあくまでも例示的なものであり、これらに限定されない。また上述の説明は、本考案に基づきなしうる細部の修正或いは変更など、いずれも本考案の請求範囲に属するものとする。
【符号の説明】
【００２４】
１００  電気コネクタ
１  絶縁本体
１１  主体部
１２  舌片
２  導電端子
２１  第四端子組
２２  第一端子組
２３  第二端子組
２４  第三端子組
２５  第二端子
２６  第一端子
３  ベース
４  シェル
５  嵌合口
【図１】
0003176488.tif 000003
【図２】
0003176488.tif 000004
【図３】
0003176488.tif 000005
【図４】
0003176488.tif 000006
【図５】
0003176488.tif 000007
【図６】
0003176488.tif 000008
【図７】
0003176488.tif 000009
【図８】
0003176488.tif 000010
【図９】
0003176488.tif 000011